(57)【要約】      （修正有）【課題】携帯時などの未使用時には薄くて小さく収納でき、使用時にはバネ用折曲片部を備えてアーム部の弾性力を高めた紙製挟持具を提供する。【解決手段】紙製挟持具は、展開形状が略矩形の紙片からなり、該紙片を長手方向の中央部分２で折り曲げて対向する一対のアーム部３，４とし、該アーム部３，４の側辺に沿って内側に折れ対向するアーム部の中途位置に衝合可能なバネ用折曲片部を設けたことを特徴とする。  上記バネ用折曲片部は、紙片を折り曲げる長手方向の中央部分２に、一対のアーム部３，４の折り曲げ方向とは逆方向に折り曲げて形成したものであってもよい。このバネ用折曲片部によってアーム部３，４の先端側に弾性力を付与することができる。【選択図】  図１
2008086276.tif 000002
【特許請求の範囲】
【請求項１】
展開形状が略矩形の紙片からなり、該紙片を長手方向の中央部分で折り曲げて対向する一対のアーム部とし、該アーム部の側辺に沿って内側に折れ対向するアーム部の中途位置に衝合可能なバネ用折曲片部を設けたことを特徴とする紙製挟持具。
【請求項２】
バネ用折曲片が、一方のアーム部の左右両側辺に沿って折り曲げられる第１および第２突片または、一方のアーム部の左右いずれか一方の側辺に沿って折り曲げられた第１突片と他方のアーム部の左右いずれか他方の側辺に沿って折り曲げられた第２突片とからなっていることを特徴とする請求項１に記載の紙製挟持具。
【請求項３】
アーム部に、該アーム部の長手方向に沿って延びると共に内壁面側に隆起してバネ用折曲片の先端が掛止められる罫線部が設けられてなることを特徴とする請求項１または２に記載の紙製挟持具。
【請求項４】
バネ用折曲片が、アーム部の基端からアーム部の長手方向の中央位置まで延びており、バネ用折曲片の基端側がアーム部の側辺に対して鋭角に傾斜する傾斜辺部と、該傾斜辺部の先端を最外端とし、アーム部の側辺に沿って平行に延び、または湾曲しながら延びてアーム部の中央位置でアーム部の側辺と一致する側片部とからなっており、
原紙に展開状態の紙製挟持具を同一の向きでまたは交互に反転させて平行に並べ、隣接する一方の紙製挟持具の一方のバネ用折曲片と、隣接する他方のバネ用折曲片とが少なくとも傾斜辺部において隙間無く接するように面付けしうることを特徴とする請求項１または２に記載の紙製挟持具。
【請求項５】
展開形状が略矩形の紙片からなり、該紙片を長手方向の中央部分で折り曲げて形成された対向する一対のアーム部とし、前記中央部分に一対のアーム部の折り曲げ方向とは逆方向に折り曲げて形成されたバネ用折曲片部を設けてなることを特徴とする紙製挟持具。
【請求項６】
展開状態の紙製挟持具の左右の側辺が、中央部近傍と両端部分で外方へ膨出し、前記中央部分と両端部分の間の中途部分が窪む略湾曲状に形成されており、
板紙に前記展開状態の紙製挟持具を横方向に平行に並べ、隣接する一方の紙製挟持具の中央部近傍が、隣接する他方の紙製挟持具の中途部分に隙間無く接するように面付けしうることを特徴とする請求項１に記載の紙製挟持具。
【発明の詳細な説明】
【技術分野】
【０００１】
この発明は、展開形状が略矩形の紙片からなって、バネ用折曲片部を備えた紙製挟持具に関する。
【背景技術】
【０００２】
従来、紙片を用いた紙製挟持具として、例えば、特開２００２−３６００９９号の紙製掴み取り具では、長手方向中央部に背部を設け、その両側に切込部を入れ、その切込部間に設けた山折り部で折り曲げて一対のアーム部を形成し、アーム部両側を内側に折り曲げてアームリブを形成し、背部は長手方向両側を内側に折り曲げて背リブを設けた構成からなっている。
従って、携帯時には薄くて小さく、使用時に簡単に組み立てることができるが、アーム部は、前記山折り部の弾発力、即ち、紙片を折り曲げた際の小さな反発力しか作用しないので、軽くて小さいものしか掴むことができず、また、使用するにしたがって反発力が弱まり使いづらいという欠点がある。
一方、実用新案登録第３０４２３０４号の簡易ピンセットでは、軟質弾性中空筒状体を用い、この中央部を押圧接着加工して、湾曲部を有するＵ字形状の分岐部を形成し、一対の挟持部の弾性力を高める構成が開示されている。
しかし、この構成では、携帯時などの未使用時と使用時との形状が同一であり、コンパクトに収納することができない。
また、特開２００１−１１２３６９号のプレス加工による組立式ペットの糞取器では、可撓性ある厚紙の中央部分を二つ折りせずに湾曲させて左端部と右端部に弾性を持たせる形態が示されているが、これは１回限りの使用を前提としたものであって、繰り返し掴み取るための構造ではなく、中央の湾曲部分が折れ曲がってしまうと前記実施例と同様の欠点がある。
【特許文献１】特開２００２−３６００９９号  図３参照
【特許文献２】実用新案登録第３０４２３０４号  図４参照
【特許文献３】特開２００１−１１２３６９号  図３参照
【発明の開示】
【発明が解決しようとする課題】
【０００３】
この発明は上記実情に鑑みてなされたもので、その主たる課題は、携帯時などの未使用時には薄くて小さく収納でき、使用時にはバネ用折曲片部を備えてアーム部の弾性力を高めた紙製挟持具を提供することにある。
【課題を解決するための手段】
【０００４】
上記課題を解決するために、請求項１の発明では、
展開形状が略矩形の紙片からなり、該紙片を長手方向の中央部分で折り曲げて対向する一対のアーム部とし、該アーム部の側辺に沿って内側に折れ対向するアーム部の中途位置に衝合可能なバネ用折曲片部を設けたことを特徴とする。
また、請求項２の発明では、
前記バネ用折曲片が、一方のアーム部の左右両側辺に沿って折り曲げられる第１および第２突片または、一方のアーム部の左右いずれか一方の側辺に沿って折り曲げられた第１突片と他方のアーム部の左右いずれか他方の側辺に沿って折り曲げられた第２突片とからなっていることを特徴とする。
請求項３の発明では、
前記アーム部に、該アーム部の長手方向に沿って延びると共に内壁面側に隆起してバネ用折曲片の先端が掛止められる罫線部が設けられてなることを特徴とする。
また、請求項４の発明では、
前記バネ用折曲片が、アーム部の基端からアーム部の長手方向の中央位置まで延びており、バネ用折曲片の基端側がアーム部の側辺に対して鋭角に傾斜する傾斜辺部と、該傾斜辺部の先端を最外端とし、アーム部の側辺に沿って平行に延び、または湾曲しながら延びてアーム部の中央位置でアーム部の側辺と一致する側片部とからなっており、
原紙に展開状態の紙製挟持具を同一の向きでまたは交互に反転させて平行に並べ、隣接する一方の紙製挟持具の一方のバネ用折曲片と、隣接する他方のバネ用折曲片とが少なくとも傾斜辺部において隙間無く接するように面付けしうることを特徴とする。
更に、請求項５の発明では、
展開形状が略矩形の紙片からなり、該紙片を長手方向の中央部分で折り曲げて形成された対向する一対のアーム部とし、前記中央部分に一対のアーム部の折り曲げ方向とは逆方向に折り曲げて形成されたバネ用折曲片部を設けてなることを特徴とする。
また、請求項６の発明では、
前記展開状態の紙製挟持具の左右の側辺が、中央部近傍と両端部分で外方へ膨出し、前記中央部分と両端部分の間の中途部分が窪む略湾曲状に形成されており、
板紙に前記展開状態の紙製挟持具を横方向に平行に並べ、隣接する一方の紙製挟持具の中央部近傍が、隣接する他方の紙製挟持具の中途部分に隙間無く接するように面付けしうることを特徴とする。
【発明の効果】
【０００５】
この発明は上記のように、展開形状が略矩形の紙片からなっているので、携帯時などの未使用時には薄くて小さく収納できる。
また、使用時には誰でも簡単に組み立ててことができると共に、バネ用折曲片部を有しているので、アーム部の弾性力が強く、従来の紙製品では掴めなかった重い物や嵩張るものであっても確実に掴み取ることができる。
また、バネ用折曲片部を所定形状とすることで、紙片の中に展開形状の紙製挟持具を歩留まり良く配置することができ、経済的である。
【発明を実施するための最良の形態】
【０００６】
この発明は、紙片の中央部分を折り曲げて一対のアーム部とし、該アーム部の側辺で折り曲げたバネ用折曲片部、または前記中央部分でアーム部の折り曲げ方向とは逆方向に折り曲げたバネ用折曲片部を設けることで、一対のアーム部の先端側に弾性をもたせ、挟持力を高めることを実現した。
【実施例１】
【０００７】
［紙製挟持具］
以下に、この発明の紙製挟持具の実施の形態を図面を参照しながら説明する。
実施例１の紙製挟持具１は、図１（ａ）に例示するように展開形状が略矩形の紙片Ａからなっている。
該紙片Ａは、図示例の場合、長方形で角部が円弧状の面取りされた本体部１ａと、該本体部１ａの側辺に沿って外方へ突出する側片部１ｂとからなっている。
【０００８】
［本体部］
本体部１ａには、その長手方向の中央部２に山折り線からなるアーム形成用の中央折曲線Ｌ１が設けられており、該中央折曲線Ｌ１に沿って本体部１ａを二つ折りすることで、対向する一対のアーム部３、４が形成される（図２参照）。
【０００９】
［バネ用折曲片］
また、本体部１ａの側辺に沿って山折り線からなる突片形成線Ｌ２が設けられており、該突片形成線Ｌ２に沿って本体部１ａに対して側片部１ｂを折り曲げることで、バネ用折曲片部が形成される。
【００１０】
［第１突片］
本実施例では、バネ用折曲片が、第１突片５と第２突片６とからなっている。
即ち、側片部１ｂが一対設けられており、その一方の側片部１ｂは一方のアーム部（図示例では３とする）の左右いずれか一方の側辺に沿ってアーム部３の基端側からアーム部３の長手方向の中央位置３ａまで延びており、アーム部３の側辺との間に形成された突片形成線Ｌ２に沿って内向きに略直角ないし鈍角に折り曲げて第１突片５が形成される。
【００１１】
［第２突片］
同様に、他方の側片部１ｂは他方のアーム部（図示例では４）の左右いずれか他方の側辺に沿ってアーム部４の基端側からアーム部４の長手方向の中央位置４ａまで延びており、アーム部４の側辺との間に形成された突片形成線Ｌ２’に沿って側片部１ｂを略直角に折り曲げて第２突片６が形成される。
【００１２】
そして、一方のアーム部３に形成された第１突片５は、その先端縁が、対向するアーム部４の内壁面と衝合し、他方のアーム部４に形成された第２突片６は、その先端縁が、対向するアーム部３の内壁面と衝合するようになっている（図２（ａ）参照）。
これにより、前記第１突片５と第２突片６とは、各アーム部３、４の強度を高めると共に、それぞれ対向するアーム部３、４の基端側から中途位置までを拘束し、アーム部３、４の中途位置から先端までの弾発性を高めることができる（図２（ｂ）参照）。
【００１３】
［罫線部］
アーム部３、４には、長手方向に沿って平行に延びる複数の罫線部７、８が形成されている。
この罫線部７、８は、アーム部３、４の内壁面側で長手方向に延びる突条として隆起し、外壁面となる表面側は凹溝となるように形成することが好ましい。
罫線部７、８は図示例では点線状に断続する形状としたが、連続して延びる１本の直線であってもよい。
【００１４】
この罫線部７、８は少なくとも第１突片５、第２突片６の先端縁部、即ち、各突片の傾斜辺部５ａ、６ａの角部が衝合可能な個所に配置されていればよいが、本実施例ではアーム部３、４の先端近傍まで延びている。
本実施例では罫線部を設けたが、この発明では罫線部を設けず、第１突片５、第２突片６の先端縁部と各アーム部３、４の内壁面との摩擦力だけであってもよい。
【００１５】
これにより、図２（ａ）および図１５（ｂ）（ｃ）に示すように、前記第１突片５および第２突片６の先端縁部が罫線部７、８に掛止められるので、第１突片５および第２突片６を対向するアーム部３、４の内壁面に衝合させることができる。
また、アーム部３、４の外壁面側では罫線部７、８は凹溝となっているので、アーム部３、４を把持する指の滑り止めとして機能する。
【００１６】
［傾斜辺部］
更に、第１突片５と第２突片６とは、アーム部３、４の基端となる中央部２からアーム部の側辺に対して鋭角に傾斜する傾斜辺部５ａ、６ａと、該傾斜辺部５ａ、６ａの先端を最外端とし、アーム部３、４の側辺に沿って平行に延びてアーム部３、４の中央位置３ａ、４ａまで延びる外端縁部５ｂ、６ｂと、該外端縁部５ｂ、６ｂから直交して前記アーム部の側辺の中央位置５ａ、６ａで一致する先端縁部５ｃ、６ｃとからなる略梯形状に形成されている（図１（ｂ）参照）。
ここで、傾斜辺部５ａ、６ａは、アーム部３、４の側辺に対して２５度以上９０度未満の角度で傾斜することが好ましく、さらに２５度から６５度の範囲内がより望ましい。
【００１７】
［原紙］
前記紙片Ａを面付けする原紙１０は、本実施例の場合、４００ｇ／ｍ２の原紙であって、さらに緊度を増加させる工程を経た原紙を用いており、高価であるので歩留まりの良い面付けが望ましい。
なお、この発明では原紙は上記のものに限定されるものではない。
【００１８】
［面付け］
本実施例では、図１（ｂ）に示すように、原紙１０に展開状態の紙製挟持具となる紙片Ａを同一の向きで平行に並べ、隣接する一方の紙製挟持具１の一方のバネ用折曲片となる第２突片６と、隣接する他方のバネ用折曲片となる紙片（便宜上Ａ’とする）の一方のバネ用折曲片となる第１突片５とが、傾斜辺部５ａ、６ａにおいて隙間無く接し、それぞれの外端縁部５ｂ、６ｂが隣接するアーム部３，４の側辺と隙間無く接するように、傾斜辺部５ａ、６ａに対応する側辺の長さ分だけ順次ずらして面付けすることができるので、原紙１０に対して、歩留り良くネスティングすることができる。
【００１９】
［弾性力］
本実施例では、アーム部３に設けられた第１突片５の先端縁部となる傾斜辺部５ａないしその角部が、対向するアーム部４の内壁面と衝合し、アーム部４に設けられた第２突片６の先端縁部となる傾斜辺部５ａないしその角部が、対向するアーム部３の内壁面と衝合する。
その際に、罫線部７、８が設けられているので、第１突片５の先端縁部が罫線部８の外側や内側に掛け止められ、第２突片６の先端縁部が罫線部７の外側や内側に掛け止められられる（図１５（ｂ）、（ｃ）参照）。
【００２０】
これにより、第１突片５と第２突片６によって、図２（ｂ）に示すように、アーム部３、４の上半部分が所定の角度で開いた状態で拘束されるので、アーム部３、４の下半部分に弾性力を付与させることができる。
そこで、アーム部３、４の下半部分に指を当てて繰り返し被挟持物を挟持することができる。
【００２１】
また、罫線部７、８を設けない場合には、図１５（ａ）に示すように、第１突片５、第２突片６の先端縁部と各アーム部３、４の内壁面との摩擦力によって、同様にアーム部３、４の上半部分を拘束することができる。
また、これらの場合に、第１突片５や第２突片６の衝合力より相対的に指で押す力が大きい場合には、第１突片５や第２突片６はアーム部の内壁面をスリップして折り曲げ方向に傾斜するが、その場合には、突片形成線Ｌ２で折り曲げられた第１突片５や第２突片６の折り曲げ部分の反発力によってアーム部３、４に弾性を付与することができる。
【実施例２】
【００２２】
図４から図６には、実施例２の紙製挟持具１を示す。
この紙製挟持具１は、バネ用折曲片として第１突片５と第２突片６とを有しているが、実施例１の場合とその形状が異なっている。
【００２３】
即ち、第１突片５と第２突片６とは、アーム部３、４の基端となる中央部２からアーム部の側辺に対して鋭角に傾斜する傾斜辺部５ａ、６ａを有している。
そして、該傾斜辺部５ａ、６ａの先端を最外端とし、湾曲しながら延びてアーム部３、４の中央位置３ａ、４ａでアーム部３、４の側辺と一致する湾曲辺部５ｄ、６ｄが形成されており、略々三角形状ないし扇形状に形成されている。
【００２４】
この場合、図４（ｂ）に示すように、原紙１０に面付けする際に、隣接する一方の紙製挟持具１の一方のバネ用折曲片となる第２突片６と、隣接する他方のバネ用折曲片となる紙片Ａ’の一方のバネ用折曲片となる第１突片５とが、傾斜辺部５ａ、６ａにおいてのみ隙間無く接するようになっており、隣接する紙片Ａ、Ａ’相互が切り取りやすくなる。
【００２５】
また、この紙製挟持具１では、第１突片５と第２突片６の先端側に湾曲辺部５ｄ、６ｄが形成されるので、アーム部３、４が撓ませやすくなる。
そして、この場合も第１突片５と第２突片６とがアーム部３、４の内壁面と衝合して、アーム部３、４に弾性を付与している（図１５（ｂ）（ｃ）参照）。
その他の構成は、前記実施例１と同様であるので、同一構成には同一の符号を付してその説明を省略する。
【実施例３】
【００２６】
図７から図９には実施例３の紙製挟持具１を示す。
この紙製挟持具１は、バネ用折曲片が、他方のアーム部（説明上、４とする）の左右両側辺に沿って第２山折り線Ｌ２、Ｌ２’が形成されており、該第２山折り線Ｌ２、Ｌ２’を介して第１突片５および第２突片６が設けられている。
ここで第１突片５および第２突片６は、前記実施例１の第１突片５および第２突片６と同様の略梯形状からなっているが、実施例２その他のバネ用折曲片の形状であってもよい。
【００２７】
これによっても、第１突片５および第２突片６によって、一対のアーム部３、４の基端から中途位置までは拘束され、該アーム部３、４の中途位置から先端位置に弾性力を持たせることができる。
【００２８】
また、本実施例で原紙１０に面付けする場合には、図７（ｂ）に示すように、展開状態の紙製挟持具の紙片Ａ、Ａ’交互に反転させて平行に並べる。
即ち、隣接する一方の紙片Ａの一方の突片（第２突片６とする）と、隣接する他方の紙片Ａ’の第１突片５’を傾斜辺部６ａ、５ａ’で隙間無く接し、またそれぞれの外端縁部６ｂ、５ｂ’が隣接するアーム部３、３’の側辺と隙間無く接するようにし、傾斜辺部６ａ、５ａ’に対応する側辺の長さ分交互にずらしている。
【００２９】
同様に、前記他方の紙片Ａ’の第２突片６’と次ぎに隣接する別の紙片Ａ”の第１突片５”を傾斜辺部６ａ’、５ａ”で隙間無く接し、またそれぞれの外端縁部６ｂ’、５ｂ”が隣接するアーム部３’，３”の側辺と隙間無く接するようにし、傾斜辺部６ａ’、５ａ”に対応する側辺の長さ分ずらしている。
このようにして、原紙１０に対して、歩留り良くネスティングすることができる。
【００３０】
そして、この場合も第１突片５と第２突片６とがアーム部３、４の内壁面と衝合して、アーム部３、４に弾性を付与している（図１５（ｄ）参照）。
その他の構成は、前記実施例１と同様であるので、同一構成には同一の符号を付してその説明を省略する。
【実施例４】
【００３１】
上記各実施例では、バネ用折曲片が第１突片５と第２突片６とからなっている場合を示したが、バネ用折曲片は第１突片５か第２突片６のいずれか一方だけであってもよい。
前記各実施例では、バネ用折曲片は、面付けしやすいようにアーム部の基端側からアーム部の中央まで延びて、基端側には傾斜辺部が形成されているが、この実施例では一方のアーム部４の中途位置に１つの突片５からなるバネ用折曲片が設けられている。
【００３２】
この突片５は、対向するアーム部３の内壁面と衝合するものであればよく、その形状は特に限定されるものではない。
一方にだけ設けられたバネ用折曲片であっても、対向するアーム部３、４間の中途位置を拘束することで、中途位置から先端までの対向するアーム部に弾性力を付与することができる（図１０参照）。
その他の構成は前記実施例に準じるので、その説明を省略する。
なお、歩留まりのよい面付けを行う場合には、本体部１ａおよび前記突片５の形状を前記実施例に準じた形状とすればよい。
【実施例５】
【００３３】
図１１から図１３には、バネ用折曲片を中央部分に設けた実施例５の紙製挟持具１を示す。
この紙製挟持具１は、展開形状が略矩形の紙片Ａからなり、該紙片Ａを長手方向の中央部２に形成されたアーム形成用の中央折曲線Ｌ１で折り曲げて対向する一対のアーム部３、４を形成する。
【００３４】
また、前記中央部２を中央として長手方向に延びる中央部分Ａ１に、前記一対のアーム部３、４の折り曲げ方向とは逆方向に折り曲げるバネ用折曲片部９を入れ子状に設けた構成からなっている。
即ち、中央部分Ａ１には、前記中央部２を跨いで長手方向に延びる一対の切込線１１、１１が形成されている。
【００３５】
図示例の場合、切込線１１は外側に向かって広がる略く字状からなっており、中央部２で該一対の切込線１１、１１間には谷折り線Ｌ４が形成され、上記一対の切込線１１の外側には谷折り線Ｌ４の延長線上に前記中央折曲線Ｌ１が形成されている。
【００３６】
中央部分Ａ１では、一対の切込線１１、１１の内側は谷折り線Ｌ４に沿って内側に突出するように折り曲げられ、該切込線１１、１１の外側は中央折曲線Ｌ１に沿って２つ折りされるので、前記一対の切込線１１、１１で形成されるバネ用折曲片部９は、左右のアーム部３、４を折り曲げた際にアーム部３、４の折り曲げ方向とは逆方向に折り曲げられる。
【００３７】
これにより、２つ折りされたアーム部３、４は、アーム部３、４の基端側に形成されたバネ用折曲片部９によって、弾性力が付与される。
なお、切込線１１、１１の端部を結ぶ一対の山折り線は、前記バネ用折曲片部９の基端の折曲線Ｌ５となっている。
【００３８】
また、この紙製挟持具１を形成する紙片Ａは、図１１（ｂ）に示すように、中央部分Ａ１と両端部分Ａ３とがなだらかに湾曲しながら幅広に膨出し、中央部分Ａ１と両端部分Ａ３の間の中途部分Ａ２が前記膨出形状に対応してなだらかに湾曲しながら幅狭に窪む図示例形状となっている。
【００３９】
そして、中央部分Ａ１の側縁部ａ１と中途部分Ａ２の側縁部ａ２とは凹凸が隙間無く一致するように湾曲形成されている。
同様に、両端部分Ａ３の側縁部ａ３もその先端までが、前記中途部分Ａ２の側縁部ａ２と凹凸が隙間無く一致するように湾曲形成されている。
【００４０】
従って、原紙１０に展開状態の紙製挟持具１の紙片Ａ、Ａ’、Ａ”・・を同一の向きで上下に互い違いにずらして平行に並べる。
そこで、隣接する一方の紙製挟持具１の紙片Ａの中央部分の側片部ａ１と両端部分の側片部ａ３の一方が、隣接する紙片Ａ’の中途部分の側片部ａ２’と隙間無く接するように面付けすることができる。
【００４１】
また、アーム部３、４には、アーム部３、４を補強するために、アーム部３、４の先端側と中央部分２側に対して屈曲部がアーム部３、４の内側を向くようにＶ字状または逆ハ字状に形成された山折り線からなる一対の山裾線部Ｌ６、Ｌ７と、アーム部３、４の中央で前記山裾線部Ｌ５、Ｌ６の屈曲部間を長手方向に沿って結ぶ山折り線からなる山頂線部Ｌ８とが形成されている。
これにより、各アーム部３、４は、物を把持する内壁面側が窪み、指で持つ外壁面側が隆起する立体形状となるので、各アーム部３、４の強度を向上させることができる（図１２、１３参照）。
【実施例６】
【００４２】
図１４の紙製挟持具１は、対向する一対のアーム部３、４の基端側となる中央部分Ａ１の全体を中央部２が内側に突出するようにく字状に折り曲げてバネ用折曲片部９とした異なる実施例を示す。
【００４３】
この紙製挟持具１は、中央部２に谷折り線Ｌ１１が形成され、該谷折り線Ｌ８を挟んで該谷折り線Ｌ８の前後に平行に一対の山折り線Ｌ１２、Ｌ１３を形成し、該山折り線に沿って折り曲げることでアーム部３、４が形成される構成からなっている。
この場合、谷折り線Ｌ１１と一対の山折り線Ｌ１２、Ｌ１３の３個所でアーム部３、４のバネ性が付与される。
その他の構成は前記実施例５に準じるので、その説明を省略する。
【００４４】
前記各実施例ではネスティング効果の高い形状を例示したが、この発明では、紙片を折り曲げることでバネ用折曲片部を形成し、紙製把持具のアーム部に弾発性を付加することができればよいので、アーム部やバネ用折曲片部の形状は上記実施例に限定されるものではない。
また、前記実施例では、第１突片や第２突片はそれぞれ対向するアーム部の内壁面と衝合する構成を示したが、例えばアーム部に第１突片や第２突片の先端縁部に対応する個所に切込を形成しておき、第１突片や第２突片の先端縁部を上記切込に差し込んでアーム部の上半部分を固定する構成としてもよい。
その他、要するにこの発明の要旨を変更しない範囲で種々設計変更しうること勿論である。
【図面の簡単な説明】
【００４５】
【図１】（ａ）は実施例１の紙製挟持具を展開した状態の平面図、（ｂ）は面付け状態の一部を示す平面図である。
【図２】（ａ）は組み立てられた紙製挟持具の側面図、（ｂ）使用状態を示す側面図である。
【図３】同斜視図である。
【図４】（ａ）は実施例２の紙製挟持具を展開した状態の平面図、（ｂ）は面付け状態の一部を示す平面図である。
【図５】（ａ）は組み立てられた紙製挟持具の側面図、（ｂ）使用状態を示す側面図である。
【図６】同斜視図である。
【図７】（ａ）は実施例３の紙製挟持具を展開した状態の平面図、（ｂ）は面付け状態の一部を示す平面図である。
【図８】（ａ）は組み立てられた紙製挟持具の側面図、（ｂ）使用状態を示す側面図である。
【図９】同斜視図である。
【図１０】（ａ）はバネ用折曲片部を１つとした実施例４の紙製挟持具の展開図、（ｂ）は側面図である。
【図１１】（ａ）は実施例５の紙製挟持具を展開した状態の平面図、（ｂ）は面付け状態の一部を示す平面図である。
【図１２】組み立てられた紙製挟持具の側面図である。
【図１３】同斜視図である。
【図１４】（ａ）は実施例６の紙製挟持具の展開状態の平面図、（ｂ）は組み立てられた紙製挟持具の側面図である。
【図１５】（ａ）は実施例１や２で、罫線部を設けない場合の第１突片および第２突片とアーム部との関係を示す断面図、（ｂ）は実施例１および２で罫線部の外側に第１突片や第２突片を掛け止めた状態の断面図、（ｃ）は（ｂ）の罫線部の内側に第１突片や第２突片を掛け止めた状態の断面図、（ｄ）は実施例３での罫線部の外側に第１突片や第２突片を掛け止めた状態の断面図である。
【符号の説明】
【００４６】
１    紙製挟持具
１ａ  本体部
１ｂ  側片部
２    中央部
３、４  アーム部
５    第１突片
６    第２突片
５ａ、６ａ  傾斜辺部
５ｂ、６ｂ  外端縁部
５ｃ、６ｃ  先端縁部
７、８  罫線部
９    バネ用折曲片部
１０  原紙
１１  切込線
Ａ    紙片
Ａ１  中央部分
ａ１  側縁部
Ａ２  中途部分
ａ２  側縁部
Ａ３  両端部分
ａ３  側縁部
Ｌ１  中央折曲線
Ｌ２  突片形成線
Ｌ４  谷折り線
Ｌ５  基端の折曲線
Ｌ６、Ｌ７  山裾線部
Ｌ８  山頂線部
Ｌ１１  谷折り線
Ｌ１２、Ｌ１３  山折り線
【図１】
2008086276.tif 000003
【図２】
2008086276.tif 000004
【図３】
2008086276.tif 000005
【図４】
2008086276.tif 000006
【図５】
2008086276.tif 000007
【図６】
2008086276.tif 000008
【図７】
2008086276.tif 000009
【図８】
2008086276.tif 000010
【図９】
2008086276.tif 000011
【図１０】
2008086276.tif 000012
【図１１】
2008086276.tif 000013
【図１２】
2008086276.tif 000014
【図１３】
2008086276.tif 000015
【図１４】
2008086276.tif 000016
【図１５】
2008086276.tif 000017